(57)【要約】【課題】視力の改善に寄与する照明装置および照明システム提供する。【解決手段】照明装置は、複数の白色ＬＥＤが配置された第１の領域と、第１の領域よりも内側の第２の領域とを有する照明部と、第１の領域上に白色ＬＥＤによる白色光を散乱させる白色光散乱部材と、白色光散乱部材および照明部を覆うカバー部材と、を備え、第２の領域には、紫外光の成分を含む光を発する紫外光源が配置されていること、を特徴とする。【選択図】図２
2020021539.tif 000002
【特許請求の範囲】
【請求項１】
複数の白色ＬＥＤが配置された第１の領域と、前記第１の領域よりも内側の第２の領域とを有する照明部と、
前記第１の領域上に前記白色ＬＥＤによる白色光を散乱させる白色光散乱部材と、
前記白色光散乱部材および前記照明部を覆うカバー部材と、
を備え、
前記第２の領域には、紫外光の成分を含む光を発する紫外光源が配置されていること、
を特徴とする照明装置。
【請求項２】
前記第２の領域には、前記白色ＬＥＤが配置されていない、
ことを特徴とする請求項１記載の照明装置。
【請求項３】
前記紫外光源は紫外ＬＥＤであり、当該紫外ＬＥＤの数は、前記白色ＬＥＤの数より少ないこと、
を特徴とする請求項１記載の照明装置。
【請求項４】
前記白色ＬＥＤの照射光量と前記紫外光源の照射光量との比率を一定に維持しながら、前記白色ＬＥＤの照射光量および前記紫外光源の照射光量を上昇または減少させる制御を行う制御部、
をさらに備えることを特徴とする請求項１乃至３のうち何れか１項に記載の照明装置。
【請求項５】
前記制御部は、前記白色ＬＥＤから白色光が照射され、且つ前記紫外光源から紫外光が照射されている際に、前記紫外光の照射光量の積算値が所定量に達した場合、前記白色光の照射は継続し、前記紫外光の照射を停止する制御を行う、
ことを特徴とする請求項４記載の照明装置。
【請求項６】
前記紫外光源の照射が停止されたことを表示する表示手段、
をさらに備えることを特徴とする請求項５記載の照明装置。
【請求項７】
前記制御部は、遠隔装置から、紫外線の光量を示す情報を受信した場合、当該紫外線の光量に基づく値を前記積算値に加算する、
ことを特徴とする請求項５または６記載の照明装置。
【請求項８】
照明装置と、携帯端末とを備える照明システムであって、
前記照明装置は、
複数の白色ＬＥＤが配置された第１の領域と、前記第１の領域よりも内側の第２の領域とを有する照明部と、
前記第１の領域上に前記白色ＬＥＤによる白色光を散乱させる白色光散乱部材と、
前記白色光散乱部材および前記照明部を覆うカバー部材と、
を備え、
前記第２の領域には、紫外光の成分を含む光を発する紫外光源が配置されており、
前記携帯端末は、前記白色ＬＥＤの照射光量または前記紫外光の成分を含む光の照射光量の何れかを上昇または減少させる情報を前記照明装置に送信する、
ことを特徴とする照明システム。
【請求項９】
複数の前記照明装置のそれぞれについて、前記白色ＬＥＤから白色光が照射され、且つ前記紫外光源から紫外光が照射されている際に、前記紫外光の照射光量の積算値が所定量に達した場合、前記白色光の照射は継続し、前記紫外光の照射を停止する制御を行う制御装置、をさらに備え、
前記制御装置は、前記携帯端末の位置情報と前記照明装置の位置情報とに基づいて、前記携帯端末が複数の前記照明装置のうち何れの照明装置の照射範囲内にあるかを特定し、特定された照明装置の紫外光の照射を制御する、
ことを特徴とする請求項８記載の照明システム。
【請求項１０】
前記制御装置は、前記携帯端末よりも低い位置の前記照明装置よりも、前記携帯端末よりも高い位置の前記照明装置を優先して、前記照明装置の照射範囲内にあるかを特定する、
ことを特徴とする請求項９記載の照明システム。
【請求項１１】
前記制御装置は、複数の前記携帯端末が１つの前記照明装置の照射範囲内にあることを検出した場合、複数の前記携帯端末のうち何れかの携帯端末に関連付けられた前記紫外光の照射光量の積算値が前記所定量に達した場合、前記紫外光の照射を停止する制御を行う、
ことを特徴とする請求項９または１０記載の照明システム。
【請求項１２】
前記制御装置は、複数の前記携帯端末が１つの前記照明装置の照射範囲内にあることを検出した場合、全ての携帯端末に関連付けられた前記紫外光の照射光量の積算値が第１閾値に達した場合、前記紫外光の照射を停止する制御を行い、複数の前記携帯端末のうち何れかの携帯端末に関連付けられた前記紫外光の照射光量の積算値が前記第１閾値より高い第２閾値に達した場合、前記紫外光の照射を停止する制御を行う、
ことを特徴とする請求項９または１０記載の照明システム。
【発明の詳細な説明】
【技術分野】
【０００１】
本発明は、白色光および紫外光を照射する照明装置および照明システムに関する。
【背景技術】
【０００２】
近年、例えば、家庭用の照明装置として、白熱電球や蛍光ランプ等に代わり、白色ＬＥＤを使用した照明装置が用いられている。ＬＥＤを用いた照明装置が、例えば、特許文献１に提案されている。この特許文献１における照明装置は、光源部を有するライトと、ライトを遠隔操作するリモコンとを有しており、リモコンは表示部を有し、ライトの電気消費情報を表示部に表示している。
【先行技術文献】
【特許文献】
【０００３】
【特許文献１】特開２０１６−２１９１５９号公報
【発明の概要】
【発明が解決しようとする課題】
【０００４】
ところで、近年、視力の改善に、適度な紫外線が寄与する、という知見が得られている。紫外線が目に取り込まれることにより、視力低下や近視を抑制するホルモンやドーパミンが分泌され、目のピント調節機能が向上する。ここで、白色ＬＥＤは、可視光領域の波長の光を出力し、紫外光領域の波長の光を出力しないため、白色ＬＥＤが設置された室内に居続ける人にとって、視力の改善に必要な紫外線の量が不足することがある。
【０００５】
本発明は、視力の改善に寄与する照明装置および照明システム提供することを目的とする。
【課題を解決するための手段】
【０００６】
上記課題を解決するために、本発明の照明装置は、複数の白色ＬＥＤが配置された第１の領域と、前記第１の領域よりも内側の第２の領域とを有する照明部と、前記第１の領域上に前記白色ＬＥＤによる白色光を散乱させる白色光散乱部材と、前記白色光散乱部材および前記照明部を覆うカバー部材と、を備え、前記第２の領域には、紫外光の成分を含む光を発する紫外光源が配置されていること、を特徴とする。
【発明の効果】
【０００７】
本発明によれば、視力の改善に寄与する照明装置および照明システムを実現できる。
【図面の簡単な説明】
【０００８】
【図１】実施形態に係る照明装置の分解斜視図。
【図２】白色ＬＥＤおよびＵＶＬＥＤの配置の態様の一例を示す図。
【図３】実施形態に係る照明システムの一例を示す図。
【図４】紫外光の照射光量の積算値を示す図。
【図５】実施形態の処理の流れを示すフローチャート。
【図６】変形例１に係る照明システムの一例を示す図。
【図７】変形例２に係る照明システムの一例を示す図。
【図８】変形例２の処理の流れを示すフローチャート。
【図９】ユーザごとの光量の積算値のテーブル例。
【発明を実施するための形態】
【０００９】
以下、本発明の各実施形態について図面を参照しながら詳細に説明する。しかしながら、以下の各実施形態に記載されている構成はあくまで例示に過ぎず、本発明の範囲は各実施の形態に記載されている構成によって限定されることはない。
【００１０】
＜実施形態の説明＞
図１は、本実施形態に係る照明装置１の分解斜視図を示す。本実施形態に係る照明装置１は、例えば、室内の天井に取り付けられているシーリングライトであるものとする。ただし、照明装置１は、シーリングライトには限定されない。照明装置１は、主に、照明部２およびカバー部材３を有する。照明部２は、収納部１１、回路部１２、固定部１３、搭載部１４、白色光源部１５、白色光源カバー１６、ＵＶ光源部１７およびＵＶ光源カバー１８を有する。また、カバー部材３は、内部カバー２１および外部カバー２２を有する。照明部２のうち収納部１１は、回路部１２を収納する部材である。回路部１２は、後述する照明制御部４０を有しており、照明装置１の全体の制御を行う。固定部１３は、回路部１２を収納部１１に固定するための固定部材である。搭載部１４の一面側には、搭載部１４、白色光源部１５、白色光源カバー１６、ＵＶ光源部１７およびＵＶ光源カバー１８を搭載する機構を有しており、反対面側には、固定部１３を搭載するための機構を有している。
【００１１】
白色光源部１５は、円環状の部材であり、複数の白色ＬＥＤを配置するための基板を有しており、当該基板に、複数の白色ＬＥＤが配置される。白色光源カバー１６は、白色光源部１５を覆う円環状の部材（白色光散乱部材）であり、例えば、アクリル導光板が適用される。白色光源カバー１６にアクリル導光板が適用されることで、白色ＬＥＤが出力した白色光が均一に室内に散乱する。白色光源カバー１６は、白色光を散乱させる部材であれば、任意の部材が適用されてよい。白色光源部１５および白色光源カバー１６は、例えば、円環状ではなく、内部に開口を有する楕円形状等であってもよい。ＵＶ光源部１７は、円形の部材であり、１または複数のＵＶ光源（紫外光の光源）を配置するための基板を有しており、当該基板に、１または複数のＵＶＬＥＤ（紫外光のＬＥＤ：紫外ＬＥＤ）が配置される。ＵＶ光源カバー１８は、ＵＶ光源部１７を覆う部材であり、白色光源カバー１６と同様、例えば、アクリル導光板が適用される。ＵＶ光源カバー１８には、紫外光の散乱性を高めるため、例えば、二酸化チタンや過酸化亜鉛等が被膜されていてもよいし、ＵＶ光源カバー１８の素材に二酸化チタンや過酸化亜鉛等が含まれていてもよい。ＵＶ光源カバー１８は、紫外光の散乱性を高めるために、例えば、外側に向かって外形が広がるような形状であってもよい。ＵＶ光源部１７およびＵＶ光源カバー１８は、円形でなくても、例えば、白色光源部１５および白色光源カバー１６に対応した楕円形状をしていてもよい。また、紫外光は、可視光に比べて散乱性が強いため、紫外光源を白色光源より内側に配置しても、紫外光を部屋全体に散乱させやすい。
【００１２】
白色光源部１５および白色光源カバー１６は、白色光源カバー１６により搭載部１４に固定される。白色光源部１５および白色光源カバー１６は、円環状の形状をしており、内部の開口部分を介して、ＵＶ光源部１７およびＵＶ光源カバー１８が、ＵＶ光源カバー１８により、搭載部１４に固定される。また、搭載部１４のうち、白色光源部１５、白色光源カバー１６、ＵＶ光源部１７およびＵＶ光源カバー１８が固定される面とは反対側の面は、収納部１１および回路部１２が、固定部１３により固定される。以上により、収納部１１、回路部１２、固定部１３、搭載部１４、白色光源部１５、白色光源カバー１６、ＵＶ光源部１７およびＵＶ光源カバー１８が一体的に構成されて、照明部２となる。
【００１３】
内部カバー２１は、外部カバー２２とともにカバー部材を構成する。外部カバー２２は、ドーム形状をしており、照明部２の各部の全体をカバーする部材である。外部カバー２２は、透光性の部材であり、内部カバー２１を介して、外部カバー２２と照明部２とが組付けられることにより、照明装置１が構成される。この状態で、照明部２の各部（白色光源カバー１６を含む）は、外部カバー２２に覆われた状態になる。照明装置１の構成は、図１の例には限定されない。
【００１４】
図２は、白色ＬＥＤおよびＵＶＬＥＤの配置の態様の一例を示す図である。図２（Ａ）は、第１の配置態様を示し、図２（Ｂ）は、第２の配置態様を示し、図３（Ｃ）は、第３の配置態様を示す。図２（Ａ）を参照して、第１の配置態様について説明する。照明装置１００は、円環状の第１の領域３１、および当該第１の領域３１の内側の円形状の第２の領域３２を有している。円環状の第１の領域３１は、白色光源部１５に対応しており、第１の領域３１には、複数の白色ＬＥＤ３３が配置されている。図２（Ａ）に示されるように、第１の領域３１において、同心円状に複数層（図２の例では３層）にわたって白色ＬＥＤ３３が配置された構成となっている。つまり、第１の領域３１における白色ＬＥＤ３３の配置態様としては、円周方向に複数の白色ＬＥＤ３３が配置され、且つ半径方向にも複数の白色ＬＥＤ３３が配置された構成となっている。第１の領域３１における白色ＬＥＤ３３の配置態様は、図２（Ａ）〜（Ｃ）の例には限定されず、例えば、ランダムに複数の白色ＬＥＤ３３が配置されている態様であってもよい。各白色ＬＥＤ３３は、白色光を出力する光源である。
【００１５】
図２（Ａ）に示されるように、第２の領域３２には、ＵＶＬＥＤ３４が配置される。円形状の第２の領域３２は、ＵＶ光源部１７に対応しており、第２の領域３２には、１つのＵＶＬＥＤ３４が配置されている。ＵＶＬＥＤ３４は、紫外光を出力する光源である。第２の領域３２には、ＵＶＬＥＤ３４は配置されるが、白色ＬＥＤ３３は配置されない。そして、第１の領域３１には、表示ＬＥＤ３５が配置されている。後述するように、ＵＶＬＥＤ３４は、所定時間経過後にオンからオフに切り替わる。ＵＶＬＥＤ３４が出力する紫外光は不可視光であるため、ＵＶＬＥＤ３４がオンからオフに切り替わったことを、視認することができない。そこで、ＵＶＬＥＤ３４がオンからオフに切り替わった際に、表示ＬＥＤ３５が点灯する。表示ＬＥＤ３５は、白色光ではない可視光（例えば、青色の光や黄色の光等）であるものとする。これにより、表示ＬＥＤ３５が点灯すると、ＵＶＬＥＤ３４がオンからオフに切り替わり、紫外光の照射が終了したことが認識できる。表示ＬＥＤ３５は、任意の位置に配置されてよい。表示する手段は、可視光のＬＥＤでなくとも、紫外光の照射のＯＮ、ＯＦＦが分かる手段であればどのようなものでもよい。
【００１６】
図２（Ｂ）を参照して、第２の配置態様について説明する。第２の配置態様は、第１の配置態様と同様、第１の領域３１に、複数の白色ＬＥＤ３３が配置されている。第２の配置態様における白色ＬＥＤ３３の配置は、第１の配置態様と異なっていてもよい。第２の配置態様においては、図２（Ｂ）に示されるように、第２の領域３２に３つのＵＶＬＥＤ３４が配置されている。図２（Ｂ）の例では、３つのＵＶＬＥＤ３４により、三角形の領域が形成される。３つのＵＶＬＥＤ３４の配置は、図２（Ｂ）の例には限定されない。
【００１７】
図２（Ｃ）を参照して、第３の配置態様について説明する。第３の配置態様は、第１の配置態様および第２の配置態様と同様であるが、第２の領域３２に配置されるＵＶＬＥＤ３４の数が６つになっている。６つのＵＶＬＥＤ３４により、六角形の領域が形成される。６つのＵＶＬＥＤ３４の配置は、図２（Ｃ）の例には限定されない。図２（Ａ）〜（Ｃ）では、第２の領域３２に、１または複数のＵＶＬＥＤ３４が配置される例を説明した。この点、第２の領域３２に配置される光源は、紫外光を発するＬＥＤ（ＵＶＬＥＤ３４）ではなく、紫外光成分を含む光を発する光源が配置されてもよい。例えば、紫外光成分を含む光を発する光源（紫外光源）は、紫外光ランプ等や可視光成分を含む蛍光灯であってもよい。紫外光成分のみの光源である方が紫外光の制御が行い易い。また、図２（Ａ）〜（Ｃ）に示されるように、ＵＶＬＥＤ３４の数は、白色ＬＥＤ３３の数より少ない。これは、照明装置１は、照明としての機能を基本とし、紫外光は、視力の改善のために、照明機能に付随した機能であるためである。
【００１８】
第１の配置態様と第２の配置態様と第３の配置態様とでは、第２の領域３２に配置されるＵＶＬＥＤ３４の数が異なる。後述するように、ＵＶＬＥＤ３４は、所定の照射光量の紫外光を出力する。従って、第１の配置態様の場合、１つのＵＶＬＥＤ３４が所定の照射光量（所定量）の紫外光を出力する。このため、第２の配置態様および第３の配置態様の各ＵＶＬＥＤ３４よりも、第１の配置態様における１つのＵＶＬＥＤ３４の出力量（紫外光の出力光量）を大きくする必要がある。ただし、第１の配置態様では、１つのＵＶＬＥＤ３４が使用されているため、部品点数（ＵＶＬＥＤ３４の数）は、第２の配置態様および第３の配置態様より少なくなる。第２の配置態様では、第２の領域３２に配置されるＵＶＬＥＤ３４の数は３つであり、第３の配置態様では、第２の領域３２に配置されるＵＶＬＥＤ３４の数は６つである。従って、各ＵＶＬＥＤ３４の紫外線の出力量は、第１の配置態様よりも少なくてもよいが、第１の配置態様よりも部品点数は多くなる。
【００１９】
ここで、第１の配置態様と第２の配置態様と第３の配置態様との何れの場合であっても、ＵＶＬＥＤ３４が配置される第２の領域３２には白色ＬＥＤ３３が配置されない。白色ＬＥＤ３３とＵＶＬＥＤ３４とでは駆動系（駆動回路）が異なる。上述したように、複数の白色ＬＥＤ３３が第１の領域３１に配置される構成であり、且つ１または複数のＵＶＬＥＤ３４が第２の領域３２に配置される構成となっている。そして、第２の領域３２には、白色ＬＥＤ３３が配置されない構成となっていることで、白色ＬＥＤ３３の駆動系とＵＶＬＥＤ３４の駆動系とを分割することができる。つまり、ＵＶＬＥＤ３４の駆動系を第２の領域３２（中心の領域）に集中させることができ、配線等も含めた駆動系の構成を簡単な構成とすることができる。  図３は、照明制御部４０およびリモコン５０により構成される照明システムの一例を示す図である。照明制御部４０は、ＣＰＵ４１、ＲＯＭ４２、ＲＡＭ４３、タイマ４４、白色光ドライバ４５、白色ＬＥＤ４６、ＵＶドライバ４７、ＵＶＬＥＤ４８および照明通信部４９を有する。照明制御部４０は、上述したように、回路部１２に組み込まれており、照明装置１の全体を制御する。ＣＰＵ４１は、照明制御部４０の制御を行う制御部である。ＲＯＭ４２は、ＣＰＵ４１が実行する制御プログラムを記憶する不揮発性メモリである。ＲＡＭ４３には、ＲＯＭ４２から読み込まれた制御プログラムが展開され、ＣＰＵ４１がＲＡＭ４３に展開された制御プログラムを実行することで、実施形態の処理が行われる。なお、ＣＰＵ４１、ＲＯＭ４２およびＲＡＭ４３は、例えば、所定の制御回路（ＡＳＩＣ等）であってもよい。
【００２０】
タイマ４４は、時間をカウントする。ＣＰＵ４１が、時間をカウントする機能を有している場合、タイマ４４は不要である。白色光ドライバ４５は、ＣＰＵ４１からの制御に基づいて、白色ＬＥＤ４６をオンまたはオフに制御する。白色ＬＥＤ４６は、上述した白色ＬＥＤ３３である。ＵＶドライバ４７は、ＣＰＵ４１からの制御に基づいて、ＵＶＬＥＤ４８をオンまたはオフに制御する。ＵＶＬＥＤ４８は、上述したＵＶＬＥＤ３４である。照明通信部４９は、赤外線により、リモコン５０からの情報を受信する。照明制御部４０がリモコン５０からの情報を受信できれば、赤外線を用いた情報通信（近距離無線通信）でなくてもよい。
【００２１】
リモコン５０は、照明装置１を遠隔的に操作する遠隔装置である。リモコン５０は、操作部５１、リモコン制御部５２、リモコン通信部５３および各種のボタン５４（５４Ａ〜５４Ｆ）および提示部５５を有する。操作部５１は、各ボタン５４の押下を検出する。リモコン制御部５２は、押下されたボタン５４に応じた情報を、照明制御部４０に送信する制御を行う。リモコン通信部５３は、押下されたボタン５４を示す情報を、照明通信部４９に送信する。
【００２２】
ボタン５４Ａは、照明装置１をオンとオフとに切り替えるためのボタンである。ボタン５４Ｂは、照明装置１の各白色ＬＥＤ３３による白色光の光量を上げるためのボタンである。ボタン５４Ｃは、照明装置１の各白色ＬＥＤ３３による白色光の光量を下げるためのボタンである。ボタン５４Ｄは、照明装置１のＵＶＬＥＤ３４による紫外光の光量の上げるためのボタンである。ボタン５４Ｅは、照明装置１のＵＶＬＥＤ３４による紫外光の光量の下げるためのボタンである。ボタン５４Ｆは、紫外光のみを調節するための紫外光モードに設定するためのボタンである。操作部５１が、ボタン５４Ａ〜５４Ｆのうち何れかのボタンが押下されたことを検出すると、リモコン制御部５２は、リモコン通信部５３に、押下されたボタンを示す情報を照明通信部４９に送信する。
【００２３】
ＣＰＵ４１は、照明通信部４９が受信した情報に応じて、白色光ドライバ４５とＵＶドライバ４７との一方または両方を制御する。これにより、第１の領域３１における白色ＬＥＤ３３の光量を上昇または減少させることができ、第２の領域３２におけるＵＶＬＥＤ３４の光量を上昇または減少させることができる。ＣＰＵ４１は、第１の領域３１における全ての白色ＬＥＤ３３による照射光量と、第２の領域３２における１または複数のＵＶＬＥＤ３４による照射光量とが、一定の比率を維持するように制御する。
【００２４】
照明装置１が照射する白色光の光量を上昇させる操作がリモコン５０に対して行ったことが検出された場合、ＣＰＵ４１は、紫外光の光量を上記一定の比率を維持した関係で上昇させる。同様に、照明装置１が照射する白色光の光量を減少させる操作がリモコン５０に対してされたことが検出された場合、ＣＰＵ４１は、紫外光の光量を上記一定の比率を維持した関係で減少させる。また、照明装置１が照射する紫外光の光量を上昇させる操作がリモコン５０に対して行ったことが検出された場合、ＣＰＵ４１は、白色光の光量を上記一定の比率を維持した関係で上昇させる。同様に、照明装置１が照射する紫外光の光量を減少させる操作がリモコン５０に対して行ったことが検出された場合、ＣＰＵ４１は、白色光の光量を上記一定の比率を維持した関係で減少させる。
【００２５】
ユーザによりボタン５４Ｆが押下されたことが検出された場合、ＣＰＵ４１は、上述した紫外光モードであることを認識する。この場合、ＣＰＵ４１は、ボタン５４Ｄまたは５４Ｅが押下されたことを示す情報に基づいて、白色光ドライバ４５は制御せず、ＵＶドライバ４７の制御を行う。これにより、照明装置１は、上記一定の比率とは無関係に、独立して紫外光の照射量を上昇または減少させる。この場合、照明装置１が照射する白色光の光量に変化はない。
【００２６】
上述したように、１日あたりの適度な紫外線は、視力の改善に寄与する。一方、１日あたりの過剰な紫外線は、視力の低下を生じさせる。そこで、ＣＰＵ４１は、ＵＶＬＥＤ３４からの紫外光の照射量は所定量以下となるように制御する。当該所定量は、視力の改善に寄与する１日当たりの紫外線の光量の最大値であり、１日あたりの所定量を超えた紫外線の照射は、ユーザの視力の低下を生じさせる。所定量についての情報は、例えば、ＲＡＭ４３に記憶されている。ＣＰＵ４１は、紫外光の照射量が所定量に達した時点で、ＵＶドライバ４７の駆動を停止し、ＵＶＬＥＤ３４をオフにするとともに、表示ＬＥＤ３５を点灯させる制御を行う。また、ＣＰＵ４１は、ＵＶドライバ４７の駆動を停止しても、白色光ドライバ４５の駆動は停止しない。従って、照明装置１は、白色光を継続して照射する。ＣＰＵ４１は、表示ＬＥＤ３５を点灯させる際、赤外線通信により、リモコン５０に、ＵＶＬＥＤ３４をオフにする通知を行うように照明通信部４９を制御してもよい。リモコン５０は、照明制御部４０からの通知を受信したことに応じて、ＵＶＬＥＤ３４がオフになったことを提示部５５に提示させてもよい。例えば、提示部５５がＬＥＤである場合、リモコン制御部５２は、上記の通知を受信したことに応じて、提示部５５としてのＬＥＤを発光させてもよい。これにより、ユーザに、ＵＶＬＥＤ３４がオフになったことを提示することができる。
【００２７】
紫外光の照射量は、ＵＶＬＥＤ３４からの紫外光の光量と出力時間との積算値により規定される。図４の例は、紫外光の照射光量の最大値（以下、最大光量）を表している。図４の例では、紫外光の最大光量は、「１８０μＷ」となっている。例えば、ボタン５４Ｅの操作により、ＵＶＬＥＤ３４の出力光量が少なくなっている場合、ＣＰＵ４１は、図４の例のように、ＵＶＬＥＤ３４をオンにする時間を長くする。一方、ボタン５４の操作により、ＵＶＬＥＤ３４の出力光量が大きい場合、ＣＰＵ４１は、図４の例のように、ＵＶＬＥＤ３４をオンにする時間を短くする。これにより、照明装置１が設置された室内にいるユーザに対して、視力を低下させない程度の紫外線を照射させることができ、ユーザの視力の改善に寄与することができる。図４の例では、光量は、「μＷ」で表されているが、ルーメンやルクス等の明るさを表す単位であってもよい。
【００２８】
図５は、実施形態の処理の流れの一例を示すフローチャートである。例えば、ユーザが、リモコン５０のボタン５４Ａを押下したとする。操作部５１は、ボタン５４Ａが押下されたことを検出し、リモコン制御部５２は、リモコン通信部５３から、ボタン５４Ａが押下されたことを示す情報を、照明通信部４９に送信させる。照明通信部４９が、ボタン５４Ａが押下されたことを示す情報を受信すると、ＣＰＵ４１は、白色光ドライバ４５およびＵＶドライバ４７を制御して、白色ＬＥＤ３３およびＵＶＬＥＤ３４をオンにする（ステップＳ１）。これにより、照明装置１から白色光および紫外光が照射される。ＣＰＵ４１が、白色ＬＥＤ３３およびＵＶＬＥＤ３４をオンにすると、タイマ４４がカウントを開始する（ステップＳ２）。ＣＰＵ４１は、タイマ４４がカウントしている時間（Ｔ）とＵＶＬＥＤ３４の現時点での出力光量とを積算し、積算値ＥＷＴを得る（ステップＳ３）。ＣＰＵ４１は、積算値ＥＷＴが、ＲＡＭ４３に記憶されている紫外光の所定量（最大光量ＥＭＡＸ）に達したかを判定する（ステップＳ４）。ステップＳ４でＮＯの場合、フローはステップＳ３に戻る。ステップＳ４でＹＥＳの場合、紫外光の照射光量の積算値ＥＷＴは、最大光量ＥＭＡＸに達したため、ＣＰＵ４１は、ＵＶドライバ４７を制御して、ＵＶＬＥＤ３４をオフにする。これにより、照明装置１からは、自動的に紫外光が照射されなくなる。そのため、過剰な紫外光が照射されることがない。
【００２９】
上述したように、リモコン５０のボタン５４Ｄ（紫外光の光量を上げるボタン）が押下されると、ＣＰＵ４１は、紫外光の出力光量を上昇させることを認識する。リモコン５０のボタン５４Ｂが押下された場合も同様である。この場合、現時点での出力光量が上昇し、積算値ＥＷＴは現時点より大きくなるため、最大光量ＥＭＡＸに達するまでの時間が短くなる。一方、リモコン５０のボタン５４Ｅ（紫外光の光量を下げるボタン）が押下されると、ＣＰＵ４１は、紫外光の光量を減少させることを認識する。リモコン５０のボタン５４Ｃが押下された場合も同様である。この場合、現時点での出力光量が上昇し、積算値ＥＷＴは現時点より小さくなるため、最大光量ＥＭＡＸに達するまでの時間が長くなる。
【００３０】
＜変形例１＞
次に、図６を参照して、変形例１について説明する。変形例１におけるリモコン７０は、リモコン制御部７１、リモコン通信部７２およびタッチパネル７３を有している。リモコン制御部７１およびリモコン通信部７２は、上述したリモコン制御部５２およびリモコン通信部５３と同様であるため、説明を省略する。タッチパネル７３は、タッチパネルディスプレイであり、情報の表示および入力が可能である。つまり、タッチパネル７３は、上述したボタン５４Ａ〜５４Ｆに対応した機能を有している。従って、変形例１のリモコン７０は、ボタンを有していないが、ボタンを有していてもよい。また、リモコン７０のタッチパネル７３は、上述した提示部５５として機能してもよい。つまり、ＵＶＬＥＤ３４がオフになった場合に、タッチパネル７３は、その旨の情報を表示してもよい。これにより、ユーザに、ＵＶＬＥＤ３４がオフになったことを提示することができる。
【００３１】
変形例１のリモコン７０のタッチパネル７３は、ユーザが既に受けた紫外線の光量を示す情報が入力可能になっている。例えば、ユーザは、日中は外出しており、ある程度の紫外線を受けているとする。この場合、積算値ＥＷＴの初期値をゼロとして、ＣＰＵ４１が図５のステップＳ３およびＳ４の処理を行うと、ユーザは過剰な紫外光を受けることになる。そこで、変形例１では、リモコン７０のタッチパネル７３に対して、ユーザが、既に受けた紫外線の光量に関する情報を入力することが可能になっている。例えば、タッチパネル７３には、既に受けた紫外線の光量として、「大」、「中」および「小」のような段階が表示され、ユーザに何れかを選択させてもよい。タッチパネル７３が、何れかの段階の選択を受け付けると、リモコン制御部７１は、選択された段階を示す情報を、リモコン通信部７２に送信させる。ＣＰＵ４１は、「大」、「中」および「小」のうち選択された段階に応じた数値を、初期値として積算値ＥＷＴに加算する。例えば、「大」が選択された場合、ＣＰＵ４１は、選択された「大」の段階に応じた大きい値の初期値を、積算値ＥＷＴに加算する。例えば、「小」が選択された場合、ＣＰＵ４１は、選択された「小」の段階に応じた少ない値の初期値を、積算値ＥＷＴに加算する。これにより、室内に設置された照明装置１は、ユーザが、日中に既に太陽光から受けた紫外線の分を考慮した光量の紫外光を照射することができる。
【００３２】
また、変形例１７０のタッチパネル７３に対して、日中の外出時間および天気の情報を入力可能であってもよい。この場合、ユーザが、タッチパネル７３に対して、日中の外出時間の情報と天気の情報とを入力すると、タッチパネル７３は、入力された情報を受け付ける。そして、リモコン通信部７２は、入力された情報をリモコン通信部７２に送信する。これにより、ＣＰＵ４１は、日中の外出時間の情報と天気の情報とに基づいて、ユーザが、照明装置１が設置されている室内以外で受けた紫外線の光量の概略の値を認識できる。例えば、日中の外出時間が長く、天気が晴れの場合、ユーザが既に受けた紫外線の光量は大きい。この場合、ＣＰＵ４１は、積算値ＥＷＴに加算する初期値としての紫外線の光量を大きくする。従って、照明装置１のＵＶＬＥＤ３４が紫外光を照射する光量は少なくなる。一方、日中の外出時間が短く、天気が雨の場合、ユーザが既に受けた紫外線の光量は少ない。この場合、ＣＰＵ４１は、積算値ＥＷＴに加算する初期値としての紫外線の光量を小さくする。従って、照明装置１のＵＶＬＥＤ３４が紫外光を照射する光量は大きくなる。以上により、ＣＰＵ４１は、日中の外出時間と天気の情報とに基づいて、紫外光の照射量を制御することができる。なお、照明装置の構成としては、リモコンや外部ネットワーク等を介して、紫外光の照射量を制御するための情報を受け付ける受付手段があればよい。
【００３３】
また、リモコン７０は、例えば、スマートフォン等の携帯型端末であってもよい。この場合、遠隔装置としての携帯型端末は、リモコン７０の機能を有し、さらに通信機能および位置検出機能を有する。携帯型端末は、位置検出機能に基づいて検出された位置における紫外線の光量を、通信機能を介して、例えば、外部のサーバ（紫外線予報のサーバ等）から受信する。携帯型端末は、外部のサーバから受信した、位置に応じた紫外線の光量と、位置検出機能に基づいて検出された位置にいる時間とを積算して、ユーザが、照明装置１が設置された室内以外で受けた紫外線の光量の１日の累積値を保持する。そして、照明装置１が設置された室内に戻ったユーザが、携帯型端末を用いて、照明装置１をオンにする操作を行ったとする。この場合、携帯型端末は、照明装置１をオンにする指示とともに、保持している紫外線の光量の１日の累積値の情報を、リモコン通信部７２を介して、照明通信部４９に送信する。これにより、ＣＰＵ４１は、ユーザが既に受けた紫外線の光量の１日の累積値を初期値として、積算値ＥＷＴに加算することができ、適正な紫外光の照射制御を行うことができる。なお、変形例１では、初期値として積算値ＥＷＴが加算されているが、最大光量ＥＭＡＸから積算値ＥＷＴが減算されるものであってもよい。
【００３４】
＜変形例２＞
図７を参照して、変形例２について説明する。図７の例において、部屋ＲＡには、照明装置１Ａが設置されており、部屋ＲＢには、照明装置１Ｂが設置されており、部屋ＲＣには、照明装置１Ｃが設置されている。照明装置１Ａ、１Ｂおよび１Ｃは、上述した照明装置１であり、各部屋にそれぞれ設置されている。以下、照明装置１Ａ、１Ｂおよび１Ｃを、照明装置１と総称することがある。照明装置１Ａ、１Ｂおよび１Ｃは、例えば、ＬＡＮ等を介して、制御装置としてのサーバ８１に接続されている。照明装置１Ａ、１Ｂおよび１Ｃは、無線通信によりサーバ８１と通信可能であってもよい。図７の例では、サーバ８１は、部屋ＲＡ、ＲＢおよびＲＣの外部に設置されているが、サーバ８１は、何れかの部屋に設置されていてもよい。サーバ８１は、ＣＰＵやＲＡＭ、ＲＯＭ等を有しており、例えば、ＲＡＭに展開されたプログラムを実行することで、各変形例の処理を実行することができる。
【００３５】
照明装置１Ａ、１Ｂおよび１Ｃは、自身の位置情報をサーバ８１に送信することが可能である。例えば、照明装置１Ａ、１Ｂおよび１Ｃは、ＧＰＳおよび高度センサを有している場合、ＧＰＳによる緯度および経度の座標情報と、高度センサによる高さ情報とに基づく位置情報を、それぞれサーバ８１に送信することが可能である。サーバ８１は、各照明装置１Ａ、１Ｂおよび１Ｃの位置情報を予め記憶していてもよい。
【００３６】
図７の例では、部屋ＲＡに、１人のユーザが入っており、当該ユーザは、スマートフォン等の携帯端末８０Ａを所持している。携帯端末８０Ａは、リモコン５０やリモコン７０としての役割を果たしてもよい。また、携帯端末８０Ａは、スマートグラスやスマートウォッチ等のウェアラブルデバイスであってもよい。以下における携帯端末８０Ｂおよび８０Ｃも同様である。携帯端末８０Ａ、８０Ｂおよび８０Ｃ（以下、携帯端末８０と総称することがある）は、無線通信等により、サーバ８１と通信可能であり、自身の位置情報をサーバ８１に送信することができる。サーバ８１は、照明装置１の位置情報と携帯端末８０の位置情報とに基づいて、携帯端末８０のユーザが、複数の照明装置１のうち何れの照明装置１の照射範囲下にあるかを認識することができる。以下、１つの照明装置１の照射範囲は、１つの部屋の室内であるものとして説明する。
【００３７】
サーバ８１は、携帯端末８０からの位置情報と照明装置１からの位置情報とに基づいて、携帯端末８０を所持するユーザが何れの照明装置１の照射範囲下にあるかを特定する。なお、所定の範囲内に複数の照明がない場合は、ＧＰＳのみで部屋を特定してもよい。以下、サーバ８１は、携帯端末８０と照明装置１との間の距離に基づいて、携帯端末８０を所持するユーザが何れの照明装置１の照射範囲下にあるかを特定するものとして説明する。ここで、図７の例に示されるように、部屋ＲＢおよび部屋ＲＣは１階の部屋であり、部屋ＲＡは２階の部屋であるものとする。サーバ８１は、上記の位置情報を受信しており、受信した位置情報に基づいて、携帯端末８０と照明装置１との距離を取得する。そして、サーバ８１は、複数の照明装置１のうち、携帯端末８０と最も近い照明装置１を特定し、特定された照明装置１の照射範囲下に、携帯端末８０を所持するユーザがいるものと認識する。
【００３８】
この際、サーバ８１は、携帯端末８０の高さ情報に基づいて、当該携帯端末８０よりも低い位置の照明装置１より、高い位置の照明装置１の方を、携帯端末８０と最も近い照明装置１として優先して特定する。例えば、サーバ８１は、携帯端末８０と照明装置１との間の距離について、携帯端末８０よりも高い位置の照明装置１と携帯端末８０との間の距離から所定量を減算する。または、サーバ８１は、携帯端末８０と照明装置１との間の距離について、携帯端末８０よりも低い位置の照明装置１と携帯端末８０との間の距離から所定量を加算する。
【００３９】
図７の例において、照明装置１Ａが設置された部屋ＲＡに、携帯端末８０Ａを所持するユーザ（ユーザＡとする）が入ったとする。図７の例の場合、実際の距離としては、携帯端末８０Ａは、照明装置１Ａより照明装置１Ｂの方が近い。特に、携帯端末８０Ａが、部屋ＲＡの床面に近い位置にある場合、携帯端末８０Ａと照明装置１Ｂとの間の距離は短くなる。しかし、携帯端末８０Ａを所持するユーザは、照明装置１の照射範囲下にあり、部屋ＲＡにいる状態である。そこで、サーバ８１は、各照明装置１と携帯端末８０Ａとの間のそれぞれの距離を求めるにあたり、例えば、携帯端末８０Ａより低い位置にある照明装置１（１Ｂおよび１Ｃ）と携帯端末８０Ａとの距離に所定量を加算する。当該所定量は、各部屋の高さであってもよい。サーバ８１は、携帯端末８０Ａと照明装置１Ｂおよび１Ｃとの間の距離については、上記の所定量を加算し、携帯端末８０Ａと照明装置１Ａとの間の距離は、上記の所定量を加算しない。これにより、サーバ８１は、携帯端末８０Ａに最も近い照明装置１は、照明装置１Ａであることが特定される。
【００４０】
変形例２では、積算値ＥＷＴの算出は、サーバ８１が行うものとする。また、サーバ８１は、各照明装置１のそれぞれについて、積算値ＥＷＴを管理しているものとする。ただし、積算値ＥＷＴの管理は、各照明装置１のそれぞれが行ってもよい。サーバ８１は、携帯端末８０と各照明装置１のうち何れかとの間の距離（上記の所定量が加算された距離）が、所定距離以下になった場合に、携帯端末８０を所持するユーザが、照明装置１の照射範囲下に入ったことを認識してもよい。図７の例の場合、サーバ８１は、携帯端末８０Ａと照明装置１Ａとの距離が所定距離以下になったことを検出した際に、ユーザＡが、照明装置１Ａが設置されている部屋ＲＡに入ったことを検出する。このとき、サーバ８１は、照明装置１Ａの白色ＬＥＤ３３およびＵＶＬＥＤ３４をオンにする制御を行う。これにより、ＵＶＬＥＤ３４からの紫外光が、ユーザＡに照射される。サーバ８１は、照明装置１Ａによる紫外光の積算値ＥＷＴが最大光量ＥＭＡＸに達したときに、ＵＶＬＥＤ３４をオフにする制御を行う。
【００４１】
図８は、変形例２の処理の流れを示すフローチャートである。サーバ８１は、各照明装置１の位置情報を取得する（ステップＳ１１）。そして、例えば、携帯端末８０を所持するユーザが、照明装置１が設置された何れかの部屋に入った場合、サーバ８１は、携帯端末８０の位置情報を取得する（ステップＳ１２）。これにより、携帯端末８０を所持するユーザが、照明装置１の照射範囲下に入ったことが検出される。サーバ８１が各照明装置１のそれぞれを管理する場合、サーバ８１は、携帯端末８０から取得した位置情報および各照明装置１の位置情報に基づいて、携帯端末８０を所持するユーザが入った部屋の照明装置１を特定する（ステップＳ１３）。具体的には、サーバ８１は、複数の照明装置１のうち、携帯端末８０と上記の所定距離を加味した距離が最も近い照明装置１を特定する。これにより、携帯端末８０を所持するユーザが、複数の照明装置１のうち何れの照射範囲下に入ったかが特定される。図７の例では、携帯端末８０Ａを所持するユーザＡが、部屋ＲＡに入ったときに、サーバ８１は、照明装置１Ａ、１Ｂおよび１Ｃのうち、照明装置１Ａを特定する。
【００４２】
サーバ８１は、照明装置１の白色ＬＥＤ３３およびＵＶＬＥＤ３４をオンにする制御を行う（ステップＳ１４）。これにより、特定された照明装置１から白色光および紫外光が照射される。サーバ８１は、タイマの機能を有しており、当該機能により、特定された照明装置１が白色光および紫外光を照射している時間をカウントする（ステップＳ１５）。サーバ８１は、カウントしている時間（Ｔ）とＵＶＬＥＤ３４の現時点での出力光量とを積算し、積算値ＥＷＴを得る（ステップＳ１６）。サーバ８１は、最大光量ＥＭＡＸを記憶しており、積算値ＥＷＴが最大光量ＥＭＡＸに達したかを判定する（ステップＳ１７）。ステップＳ１７でＮＯの場合、フローはステップＳ１６に戻る。ステップＳ１７でＹＥＳの場合、紫外光の照射光量の積算値ＥＷＴは、最大光量ＥＭＡＸに達したため、サーバ８１は、ステップＳ１３で特定された照明装置１のＵＶＬＥＤ３４をオフにする制御を行う（ステップＳ１８）。これにより、複数の照明装置１のそれぞれについて、適正な紫外光の照射制御が行われるため、上述した実施形態と同様の効果を得ることができる。
【００４３】
また、図７の例では、部屋ＲＢの照明装置１Ｂの照射範囲下に、複数のユーザ（携帯端末８０Ｂを所持するユーザＢおよび携帯端末８０Ｃを所持するユーザＣ）がいる。サーバ８１は、照明装置１Ｂの位置情報と携帯端末８０Ｂの位置情報とに基づいて、携帯端末８０Ｂに最も近い照明装置１は、照明装置１Ｂであることを特定する。また、サーバ８１は、照明装置１Ｃの位置情報と携帯端末８０Ｃの位置情報とに基づいて、携帯端末８０Ｃに最も近い照明装置１は、照明装置１Ｂであることを特定する。
【００４４】
ユーザＢおよびユーザＣが受けた紫外線の光量は、同じであるとは限らない。例えば、ユーザＢは、部屋ＲＢで照明装置１ＢのＵＶＬＥＤ３４からの紫外光を一定時間受けていたのに対し、ユーザＣは、暗室から部屋ＲＢに移動してきた場合等においては、ユーザＢとユーザＣとでは、既に受けた紫外線の光量は異なる。図８のステップＳ１６では、サーバ８１は、積算値ＥＷＴを取得している。そこで、サーバ８１は、複数の携帯端末８０のそれぞれについて、積算値ＥＷＴを関連付けて管理してもよい。例えば、サーバ８１は、各携帯端末８０を識別するＩＤと積算値ＥＷＴとを関連付けて、ＲＡＭ等に記憶することで、各携帯端末８０のそれぞれの積算値ＥＷＴを管理してもよい。これにより、サーバ８１は、ユーザＢが既に受けた紫外線の光量およびユーザＣが既に受けた紫外線の光量を認識することができる。
【００４５】
サーバ８１は、１つの照明装置１の照射範囲下に複数の携帯端末８０がある場合、各携帯端末８０のそれぞれに対応する積算値ＥＷＴの何れかが最大光量ＥＭＡＸに達したときに、照明装置１のＵＶＬＥＤ３４をオフにする制御を行う。これにより、１つの照明装置１の照射範囲下の複数のユーザについて、既に受けた紫外線の光量に差分があったとしても、各ユーザは、最大光量ＥＭＡＸを超える紫外線の光量を受けることがなくなる。
【００４６】
また、サーバ８１は、２段階の光量の閾値（第１光量閾値ＥＴｈ１および第２光量閾値ＥＴｈ２）に基づいて、照明装置１の制御を行ってもよい。上述したように、適度な紫外線の照射は、視力の改善に寄与するが、過剰な紫外線の照射は、ユーザの視力を低下させる要因となる。そこで、サーバ８１は、視力の改善に寄与する紫外線の光量の閾値を第１光量閾値ＥＴｈ１として、ユーザの視力を低下させる紫外線の光量の閾値を第２光量閾値ＥＴｈ２として設定する。従って、第２光量閾値ＥＴｈ２は、第１光量閾値ＥＴｈ１より高い。
【００４７】
１つの照明装置１の照射範囲下に複数の携帯端末８０があるとき、つまり、１つの照明装置１の照射範囲下に複数のユーザがいる場合に適用され得る。サーバ８１は、上記複数の携帯端末８０の積算値ＥＷＴのうち何れかが第２光量閾値ＥＴｈ２に至ったときに、上記１つの照明装置１のＵＶＬＥＤ３４をオフにする制御を行う。また、上記複数の携帯端末８０の全ての積算値ＥＷＴが、第１光量閾値ＥＴｈ１に至ったときに、上記１つの照明装置１のＵＶＬＥＤ３４をオフにする制御を行う。これにより、照明装置１は、ユーザの視力を低下させる紫外線の照射を抑制するとともに、視力の改善に寄与する適度な紫外線を照射することができる。
【００４８】
図９は、サーバ８１が記憶している携帯端末８０Ａ〜Ｃに対応するユーザＡ〜Ｃの紫外線光量の積算値のテーブル例である。ユーザＡは、照明１Ａがある部屋で２時間、紫外線を浴びており、ユーザＢは、照明１Ｂがある部屋で２時間、照明１Ｃがある部屋で２時間、紫外線を浴びており、ユーザＣは、照明１Ｂがある部屋で３時間、紫外線を浴びている。このとき、照明１Ｂ、１Ｃがある部屋の紫外線の光量が４５μＷと設定されていれば、ユーザＢは、紫外線の光量が４５μＷを浴びたことになる。この場合、図４の例に示されるように、ユーザＢについての積算値ＥＷＴは、最大光量ＥＭＡＸを超えるため、サーバ８１は、照明１Ｂの紫外光源をＯＦＦにする。
【００４９】
＜変形例３＞
なお、照明装置１Ａ〜１Ｃ、及び、携帯端末８０Ａ〜８０Ｃが赤外線通信等の近距離無線通信手段を備えている場合は、近距離無線通信手段を用いて照明がある部屋とユーザを判定する。照明がある部屋に入るとユーザは、携帯端末８０Ａ〜８０Ｃの近距離無線通信手段と関連するアプリケーションを立ち上げて、照明装置１Ａ〜１Ｃのいずれか一つと通信が確立できた場合に、サーバ８１は、通信が確立できた照明装置がある部屋にユーザがいると判定し、紫外光の積算を開始する。なお、携帯端末８０Ａ〜８０Ｃのアプリケーションを常に動かして、ユーザがアプリケーションを立ち上げずに、近距離無線通信手段が通信を確立できた照明装置がある部屋があった場合に、紫外光の積算を開始してもよい。
【符号の説明】
【００５０】
１    照明装置
２    照明部
３    カバー部材
１６  白色光源カバー
３１  第１の領域
３２  第２の領域
３３  白色ＬＥＤ
３４  ＵＶＬＥＤ
３５  表示ＬＥＤ
４０  照明制御部
４１  ＣＰＵ
５０  リモコン
８０  携帯端末
８１  サーバ
【図１】
2020021539.tif 000003
【図２】
2020021539.tif 000004
【図３】
2020021539.tif 000005
【図４】
2020021539.tif 000006
【図５】
2020021539.tif 000007
【図６】
2020021539.tif 000008
【図７】
2020021539.tif 000009
【図８】
2020021539.tif 000010
【図９】
2020021539.tif 000011